(57)【特許請求の範囲】
【請求項１】
台車の搬送対象物を載置する樹脂製の荷台の天板の外表面である天面及び側板の外表面である側面を覆うように取り付けることができ、前記荷台に着脱可能な台車用カバーであって、
その台車用カバーがステンレスからなり、
前記天板及び前記側板の内表面には、荷台の剛性及び強度を向上させるための補強リブが形成され、
内表面に補強リブがある部分に対して内表面に補強リブがない部分が凹むことで、前記天板の外表面である前記天面及び前記側板の外表面である前記側面には凹凸が存在し、その凸に前記台車用カバーの内面が接するようになっていることを特徴とする台車用カバー。
【請求項２】
前記荷台の側面を覆う前記台車用カバーの側板には、貫通孔が設けられており、台車用カバーの側板の外側であって角部に取り付けられるコーナーガードとともに前記荷台にねじで固定されるようになっていることを特徴とする請求項１に記載の台車用カバー。
【請求項３】
前記荷台の天面を覆う前記台車用カバーの天板には、貫通孔が設けられており、台車用カバーの天板上に取り付けられるハンドルとともに前記荷台にねじで固定されるようになっていることを特徴とする請求項１又は２に記載の台車用カバー。
【請求項４】
請求項１乃至３のいずれかの台車用カバーを台車の搬送対象物を載置する樹脂製の荷台に取り付けたことを特徴とする台車。
【発明の詳細な説明】
【技術分野】
【０００１】
本発明は、搬送対象物を載置する荷台を有する台車用のカバー及びそのカバーを取り付けた台車に関する。
【背景技術】
【０００２】
従来、重い搬送対象物を搬送するために、搬送対象物を載置するための荷台と、荷台の底面に複数個取り付けられているキャスターと、荷台の天面に取り付けられているハンドルとを備える台車が知られている。
【０００３】
このような台車の荷台として、特開２０１３-０３２１１１公報に記載の樹脂製の荷台がある。
【０００４】
樹脂製の荷台は軽量かつ丈夫であるため、幅広い重さの搬送対象物を搬送に対応できるとともに、使用者が台車を取り回やすく、搬送対象物を荷台に載せていない時の台車を持ち運びやすい。
【先行技術文献】
【特許文献】
【０００５】
【特許文献１】特開２０１３-０３２１１１号公報
【発明の概要】
【発明が解決しようとする課題】
【０００６】
特開２０１３-０３２１１１号公報の荷台では、樹脂表面に汚れが付着しやすく、さらに使用によって樹脂の削りカスが発生しやすい。そのため、高い衛生管理が求められる環境では使用できないという問題があった。
【０００７】
また、スチールの荷台では、錆防止の為の塗装が必要になるが、使用によって塗装片や、塗装が剥げた所の錆が発生しやすい。そのため、高い衛生管理が求められる環境では使用できないという問題があった。
【０００８】
さらに、スチールなどの金属製の荷台では荷台が重量化し、使用者が台車を取り回しにくくなるともに搬送対象物を荷台に載せていない時に台車を持ち運びにくくなるといった問題があった。
【０００９】
上記点より本発明は、高い衛生管理環境下で使用可能であって、使用者が台車を取り回しやすく、搬送対象物を荷台に載せていない時に持ち運びしやすい軽量の台車用カバー及びその台車用カバーを取り付けた台車を提供することを目的とする。
【課題を解決するための手段】
【００１０】
上記課題を解決するため、請求項１の台車用カバーは、台車の搬送対象物を載置する樹脂製の荷台の天板の外表面である天面及び側板の外表面である側面を覆うように取り付けることができ、前記荷台に着脱可能な台車用カバーであって、その台車用カバーがステンレスからなり、前記天板及び前記側板の内表面には、荷台の剛性及び強度を向上させるための補強リブが形成され、内表面に補強リブがある部分に対して内表面に補強リブがない部分が凹むことで、前記天板の外表面である前記天面及び前記側板の外表面である前記側面には凹凸が存在し、その凸に前記台車用カバーの内面が接するようになっている。
【００１１】
請求項１の台車用カバーによれば、樹脂製の荷台の天面及び側面をステンレス製の台車用カバーで覆うことができるので、高い衛生管理環境下で使用可能である。また、ステンレス製の台車用カバーを取り付けた樹脂製の荷台は、金属製の荷台より軽量なので、台車を取り回しやすく搬送対象物を荷台に載せていない時の持ち運びしやすい。さらに、ステンレス製の台車用カバーは既存の樹脂製の荷台に取り付けることができるので、安価でステンレス表面の荷台を実現できる。既存の樹脂製の台車を有効活用できるので環境にもやさしい。ステンレス製の台車用カバーは、荷台に着脱可能なので、ステンレス製の台車用カバーは容易に交換することができ、廃棄する際の分別も容易なので環境にもやさしい。
【００１２】
また、請求項１の台車用カバーによれば、荷台の天面及び側面と部分的に接触することになるので、荷台に対する着脱の際の摩擦を抑制し、台車用カバーを容易に荷台に着脱することができる。
【００１３】
請求項２の台車用カバーは、請求項１の台車用カバーにおいて、前記荷台の側面を覆う前記台車用カバーの側板には、貫通孔が設けられており、台車用カバーの側板の外側であって角部に取り付けられるコーナーガードとともに前記荷台にねじで固定されるようになっている。
【００１４】
請求項２の台車用カバーによれば、請求項１の台車用カバーと同様に作用する上に、部品数の増加を最小限にとどめることができ、台車全体の重量化を防ぐことができる。
【００１５】
請求項３の台車用カバーは、請求項１又は請求項２の台車用カバーにおいて、前記荷台の天面を覆う前記台車用カバーの天板には、貫通孔が設けられており、台車用カバーの天板上に取り付けられるハンドルとともに前記荷台にねじで固定されるようになっている。
【００１６】
請求項３の台車用カバーによれば、請求項１又は請求項２の台車用カバーと同様に作用する上に、部品数の増加を最小限にとどめることができ、台車全体の重量化を防ぐことができる。
【００１７】
請求項４の台車は、請求項１乃至３のいずれかの台車用カバーを台車の搬送対象物を載置する樹脂製の荷台に取り付けたものである。
【００１８】
請求項４の台車によれば、請求項１乃至３のいずれかの台車用カバーと同様の作用を有する。
【発明の効果】
【００１９】
請求項１から４のいずれかの発明によれば、台車用カバーを荷台に取り付けた台車は高い衛生管理環境下で使用可能である。また、台車用カバーを荷台に取り付けた台車は、軽量であるため、使用者が台車を取り回しやすく、搬送対象物を荷台に載せていない時に持ち運びしやすい。
【図面の簡単な説明】
【００２０】
【図１】本発明の一実施形態の台車用カバーを荷台に取付けた台車の斜視図である。
【図２】図１の台車用カバー取り付けた荷台のＡ−Ａ端面線の端面図である。
【図３】図１の台車用カバー取り付けた荷台のＢ−Ｂ断面線の断面図である。
【発明を実施するための形態】
【００２１】
本発明の一実施形態である台車用カバー１を取り付ける台車１０について、以下説明する。
【００２２】
台車１０は、図１から図３に示すように、搬送対象物を載置する樹脂製の荷台１１と、荷台１１の天面及び側面を覆う台車用カバー１と、荷台１１の底面側に取り付けられた複数のキャスター１２と、荷台１１の天面側に延出し使用者が把持するハンドル1３とを備える。
【００２３】
荷台１１は、矩形の天板１１ａと天板１１ａの各辺から垂下する側板１１ｂとを備える。
天板１１ａの外表面が荷台１１の天面であり、側板１１ｂの外表面が荷台１１の側面である。
【００２４】
天板１１ａ及び側板１１ｂの内表面には、荷台１１の剛性及び強度を向上させるための補強リブ１１ｃが形成されている。天板１１ａの外表面である天面及び側板１１ｂの外表面である側面は、内表面に補強リブ１１ｃがある部分と内表面に補強リブ１１ｃがない部分では、樹脂成型上補強リブ１１ｃがある部分に対して補強リブ１１ｃがない部分が凹む。つまり、荷台１１の天面及び側面には凹凸が存在する。
【００２５】
台車用カバー１はステンレスからなる。台車用カバー１は矩形の天板２と天板２の各辺から垂下する側板３とを備える。天板２及び側板３で囲まれた空間は荷台１１が収容されるようになっている。
【００２６】
天板２及び側板３で囲まれた空間の寸法は、荷台１１の天面及び側面に存在する凸を基準に設計される。具体的には、荷台１１の縦横は、対向する両側面の一方の側面の凸から他方の側面の凸までの長さとし、荷台１１の厚さは、側板の下端から天面の凸までの長さとする。この荷台の縦、横及び厚さに基いて、台車用カバー１の天板２及び側板３で囲まれた空間の寸法を設計する。
【００２７】
このように設計された台車用カバー１は、荷台１１に着脱可能となっている。荷台１１に取り付けられた台車用カバー１は、内面が荷台１１の天面及び側面に存在する凹凸の凸と部分的に接触することとなる。
【００２８】
荷台１１の側面を覆う台車用カバー１の側板３には、図２に示すように、貫通孔３１が設けられている。この貫通孔３１によって、台車用カバー１は、側板３の外側であって角部に取り付けられるコーナーガード１４とともに荷台１１にねじ１５で固定されるようになっている。
【００２９】
荷台１１の天面を覆う台車用カバー１の天板２には、図３に示すように、貫通孔２１が設けられている。この貫通孔２１によって、台車用カバー１は、天板２上に取り付けられるハンドル１３の下端の取付部１３ａとともに荷台１１にねじ１６で固定されるようになっている。ハンドル１３は天板２に対して立設する。
【００３０】
上記実施形態では、コーナーガード１４が台車用カバー１とともに荷台１１に固定される場合について説明したが、これに限定されることなく、コーナーガードが予め台車用カバーに固定されていてもよい。
【００３１】
上記実施形態では、台車１０がコーナーガード１４を有する場合について説明したが、これに限定されることなく、コーナーガードがない台車でもよい。
【００３２】
上記実施形態では、ハンドル１３が天板２に対して立設する場合について説明したが、これに限定されることなく、台車用カバーの天板の天面に沿って折畳み可能であってもよい。
【符号の説明】
【００３３】
１      台車用カバー
２      天板
３      側板
１０    台車
１１    荷台
１１ａ  天板
１１ｂ  側板
１１ｃ  補強リブ
１２    キャスター
１３    ハンドル
１３ａ  取付部
１４    コーナーガード
１５    ねじ
１６    ねじ
２１    貫通孔
３１    貫通孔
【要約】
【課題】高い衛生管理環境下で使用可能であって、使用者が台車を取り回しやすく、搬送対象物を荷台に載せていない時に持ち運びしやすい軽量の台車用カバー及びその台車用カバーを取り付けた台車を提供すること。
【解決手段】本発明の台車用カバー１は、台車１０の搬送対象物を載置する樹脂製の荷台の天面及び側面を覆うように取り付けることができ、荷台に着脱可能である。台車用カバー１がステンレスからなる。また、台車用カバー１を取り付けた台車１０は、搬送対象物を載置する樹脂製の荷台と、荷台の天面及び側面を覆う台車用カバー１と、荷台の底面側に取り付けられた複数のキャスター１２と、荷台の天面側に延出し使用者が把持するハンドル１３とを備える。
【選択図】  図１【図１】
0005799185.tif 000002
【図２】
0005799185.tif 000003
【図３】
0005799185.tif 000004